(57)【特許請求の範囲】
【請求項１】
装置本体に対して開位置と閉位置との間で回動可能に支持されるカバー部材と、
該カバー部材側に回転可能に支持される第１回転体と、
前記装置本体側に回転可能に支持され前記カバー部材が閉位置にあるとき前記第１回転体に圧接する第２回転体と、
前記第１回転体の両端部に設けられる回転軸と、
該回転軸を回転可能に支持する軸受け部材と、を有し、
前記第１回転体と第２回転体との間で記録媒体を搬送する画像形成装置において、
前記第１回転体が前記第２回転体を押圧するように前記軸受け部材を付勢するバネ部材と、
前記第１及び第２回転体の回転中心を繋ぐ方向である第１の方向と、該第１の方向と前記回転軸の軸方向とに対して直角方向である第２の方向とに移動可能に前記軸受け部材を支持するとともに前記バネ部材を支持して前記カバー部材に設けられる軸受け支持部と、
前記第１の方向に延設され前記カバー部材の閉位置で前記軸受け部材の外周部を嵌装するガイド溝を有して前記装置本体に設けられる軸受けガイド部と、を備え、
前記軸受け支持部は、第１及び第２の方向に広がる開口部と、前記回転軸を挟んで前記開口部と反対側に形成される当接部とを有し、
前記軸受け部材は、前記回転軸を回転可能に支持する円筒状の軸受け部と、該軸受け部の外周面から突出するように形成され前記開口部内を第１及び第２の方向に移動可能な凸部と、前記軸受け部の径方向において前記凸部と異なる位置に形成され前記カバー部材が開位置にあるとき前記バネ部材の付勢力によって前記当接部に当接可能な規制爪と、前記軸受け部の軸方向の端部の外周面に形成された前記外周部と、を有しており、
前記カバー部材が装置本体に対して閉じられたとき、前記凸部が前記開口部内を移動することによって、前記軸受け部材の前記外周部が前記ガイド溝に嵌装されることを特徴とする画像形成装置。
【請求項２】
前記開口部は貫通する孔にて形成され、前記凸部は、前記軸受け部の外周面から延設される一対の腕部の端部に互いに対向して設けられ、前記一対の凸部は前記開口部を両側から挟み込むように構成されることを特徴とする請求項１に記載の画像形成装置。
【請求項３】
前記規制爪は、第２の方向に弾性を有するフック部にて前記軸受け部に繋がれることを特徴とする請求項１または請求項２に記載の画像形成装置。
【請求項４】
前記軸受け支持部は前記カバー部材に一体に形成されてなることを特徴とする請求項１〜請求項３のいずれかに記載の画像形成装置。
【請求項５】
前記第１回転体は転写ローラーからなり、前記第２回転体は感光体ドラムからなることを特徴とする請求項１〜請求項４のいずれかに記載の画像形成装置。
【発明の詳細な説明】
【技術分野】
【０００１】
本発明は、複写機、プリンター、ファクシミリ、それらの複合機等の画像形成装置に関するものである。
【背景技術】
【０００２】
従来の複写機、プリンター等の画像形成装置では、装置全体の小型化のために装置本体の側面近傍であって垂直方向に用紙の搬送路を設けられている場合が多い。垂直方向に設けられている搬送路には、用紙に画像を転写するための転写ローラー対が配置されている。この転写ローラー対の一方のローラーや搬送ガイド面などをカバー部材にユニット化して設け、カバー部材が装置本体の側面から開閉される構造とすることにより、搬送路の広範囲が露出されジャム処理やメンテナンスの作業を容易に行うことが可能となる画像形成装置が開示されている。
【０００３】
例えば、特許文献１に係る画像形成装置は、装置本体に対して開閉可能であるカバー部材には転写ローラーが設けられ、転写ローラーは、該回転軸を回転可能に支持する軸受け部材と、軸受け部材を感光体ドラム側に押圧するバネ部材と、軸受け部材を外側から覆って収容し、収容する空間内をカバー部材の開閉方向と開閉方向に対して直角方向とに軸受け部材が移動可能であるように支持する軸受けホルダーとを備える。一方、装置本体には、転写ローラーに圧接される感光体ドラムと軸受けガイド部とが設けられ、軸受けガイド部は、感光体ドラムの回転中心の方向に延設され転写ローラーの回転軸を嵌装するガイド溝を有している。カバー部材を装置本体に対して閉じると、軸受け部材が軸受けホルダーの収容空間内を自由に移動して、転写ローラーの回転軸が軸受けホルダーのガイド溝に適切に対向し回転軸がガイド溝に嵌装され、これによって、転写ローラーが感光体ドラムに対して記録媒体の挟持搬送が可能なニップ部を構成するようになっている。
【先行技術文献】
【特許文献】
【０００４】
【特許文献１】特開２００７−２４０８３４号公報（段落［００３３］〜［００３８］、［００５１］〜［００５４］、第１０図、第１１図）
【発明の概要】
【発明が解決しようとする課題】
【０００５】
しかしながら、上述した特許文献１の画像形成装置では、軸受け部材と、軸受け部材を移動可能に支持する軸受けホルダーが、夫々複雑な構成部品となり、特に軸受けホルダーは複雑な構成となるので、カバー部材と一体構成にするのが難しく、部品点数が多くなり、コストアップするという問題があった。
【０００６】
本発明は、上記のような課題を解決するためになされたものであり、簡単な構成にてローラーを支持し、開閉可能なカバー部材の閉操作にて対向するローラーに確実に圧接する画像形成装置を提供することを目的とする。
【課題を解決するための手段】
【０００７】
上記目的を達成するために第１の発明は、装置本体に対して開位置と閉位置との間で回動可能に支持されるカバー部材と、該カバー部材側に回転可能に支持される第１回転体と、前記装置本体側に回転可能に支持され前記カバー部材が閉位置にあるとき前記第１回転体に圧接する第２回転体と、前記第１回転体の両端部に設けられる回転軸と、該回転軸を回転可能に支持する軸受け部材と、を有し、前記第１回転体と第２回転体との間で記録媒体を搬送する画像形成装置において、前記第１回転体が前記第２回転体を押圧するように前記軸受け部材を付勢するバネ部材と、前記第１及び第２回転体の回転中心を繋ぐ方向である第１の方向と、該第１の方向と前記回転軸の軸方向とに対して直角方向である第２の方向とに移動可能に前記軸受け部材を支持するとともに前記バネ部材を支持して前記カバー部材に設けられる軸受け支持部と、前記第１の方向に延設され前記カバー部材の閉位置で前記軸受け部材の外周部を嵌装するガイド溝を有して前記装置本体に設けられる軸受けガイド部と、を備え、前記軸受け支持部は、第１及び第２の方向に広がる開口部と、前記回転軸を挟んで前記開口部と反対側に形成される当接部とを有し、前記軸受け部材は、前記回転軸を回転可能に支持する円筒状の軸受け部と、該軸受け部の外周面から突出するように形成され前記開口部内を第１及び第２の方向に移動可能な凸部と、前記軸受け部の径方向において前記凸部と異なる位置に形成され前記カバー部材が開位置にあるとき前記バネ部材の付勢力によって前記当接部に当接可能な規制爪と、を有しており、前記カバー部材が装置本体に対して閉じられたとき、前記凸部が前記開口部内を移動することによって前記軸受け部材の外周部が前記ガイド溝に案内されて嵌装されることを特徴としている。
【０００８】
また、第２の発明では、上記の画像形成装置において、前記開口部は貫通する孔にて形成され、前記凸部は、前記軸受け部の外周面から延設される一対の腕部の端部に互いに対向して設けられ、前記一対の凸部は前記開口部を両側から挟み込むように構成されることを特徴としている。
【０００９】
また、第３の発明では、上記の画像形成装置において、前記規制爪は、第２の方向に弾性を有するフック部にて前記軸受け部材に繋がれることを特徴としている。
【００１０】
また、第４の発明では、上記の画像形成装置において、前記軸受け支持部は前記カバー部材に一体に形成されてなることを特徴としている。
【００１１】
また、第５の発明では、上記の画像形成装置において、前記第１回転体は転写ローラーからなり、前記第２回転体は感光体ドラムからなることを特徴としている。
【発明の効果】
【００１２】
第１の発明によれば、カバー部材を装置本体に対して閉じると、軸受け部材の凸部が軸受け支持部の開口部内を移動することで、軸受け部材の外周部が軸受けガイド部のガイド溝に対向し更に案内され、軸受け部材の外周部がガイド溝に嵌装される。これによって、第１回転体がバネ部材によって第２回転体に確実に圧接し、第１及び第２回転体間で記録媒体を搬送することが可能となる。軸受け支持部は開口部と当接部とを有し、また、軸受け部材は、第１回転体を回転可能に支持する軸受け部と、軸受けガイド部のガイド溝に嵌まる外周部と、凸部と規制爪とを有するという簡単な構成にて、第１回転体を支持することができる。
【図面の簡単な説明】
【００１３】
【図１】本発明の実施形態に係る画像形成装置の全体構成を概略的に示す断面図
【図２】実施形態に係る画像形成装置の用紙搬送路を示す断面図
【図３】実施形態に係る画像形成装置のカバー部材を示す斜視図
【図４】実施形態に係るカバー部材に設けた転写ローラーの軸受け部材と装置本体の軸受けガイド部を示す斜視図
【図５】実施形態に係る軸受け部材と軸受け支持部を示す断面図
【図６Ａ】実施形態に係る軸受け部材を示す斜視図
【図６Ｂ】実施形態に係る図６Ａの軸受け部材の変形を示す斜視図
【図７】実施形態に係るカバー部材を開いた場合の軸受け部材の状態を示す図
【図８】実施形態に係るカバー部材を閉じていくときの、軸受け部材の移動状態を示す図
【図９】実施形態に係る軸受け部材の図８から更に移動した状態を示す図
【図１０】実施形態に係る軸受け部材が軸受けガイド部に嵌装した状態を示す図
【発明を実施するための形態】
【００１４】
以下に本発明の実施形態について図面を参照して説明するが、本発明は、この実施形態に限定されない。また発明の用途やここで示す用語等はこれに限定されるものではない。
【００１５】
図１は、胴内排紙方式の画像形成装置の全体構成を示す図である。画像形成装置１００の下部には、カセットタイプの用紙給紙部１６が配設されている。用紙給紙部１６には印刷前の用紙Ｐが積載して収容されている。用紙給紙部１６に収容された用紙Ｐは、ピックアップローラー１２により１枚ずつ繰り出され、繰り出された用紙Ｐは用紙搬送路１９へと送り出される。
【００１６】
用紙搬送路１９は、用紙給紙部１６の左方にて装置本体１０１の上下方向に延設される。用紙給紙部１６から送り出された用紙Ｐが、用紙搬送路１９のレジストローラー対１３に搬送される。レジストローラー対１３は、用紙Ｐにトナー像を転写するタイミングと同期をとって、画像形成部８に向けて用紙Ｐを送り出す。
【００１７】
画像形成装置１００の上部には原稿読取部２０が配設される。原稿読取部２０は、複写時に原稿を照明する光源ランプや原稿からの反射光の光路を変更するミラーが搭載された走査光学系と、原稿からの反射光を集光して結像する集光レンズと、結像された画像光を電気信号に変換するＣＣＤセンサ等（いずれも図示せず）から構成されており、原稿画像を読み取って画像データに変換する。
【００１８】
画像形成装置１００の略中央部には、画像形成部８が配設されている。画像形成部８は、像担持体である感光体ドラム１を備え、さらに第２回転体である感光体ドラム１の周辺にその回転方向（図中のＡ方向）に沿って順に、帯電部２と、露光ユニット４と、現像部３と、第１回転体である転写ローラー９、及びクリーニング部５を備える。現像部３へのトナーの供給はトナーコンテナ６から行われる。クリーニング部５は、ブレードやブラシ或いは研磨ローラー等のクリーニング部材を有し、クリーニング部材によって感光体ドラム１の表面に残留するトナーを剥ぎ取り、回収する。
【００１９】
感光体ドラム１の表面が帯電部２によって所定の極性および電位で一様に帯電されると、 露光ユニット４は、原稿読取部２０によって読み取られた原稿の画像データに基づいて、感光体ドラム１上に原稿画像の静電潜像を形成する。
【００２０】
現像部３は、帯電したトナーを感光体ドラム１の表面に供給し、感光体ドラム１上の静電潜像を現像してトナー像を形成する。トナー像は転写ローラー９によって用紙Ｐ上に転写される。トナー像が転写された用紙Ｐは、用紙搬送路１９の上方に配設される定着部７へと搬送される。用紙Ｐにトナー像が転写された後、感光体ドラム１の表面に残留するトナーがクリーニング部５によってクリーニングされて回収され、さらに図示しない除電装置によって感光体ドラム１の表面の残留電荷が除去される。
【００２１】
定着部７は、熱源を内蔵する定着ローラー２８と加圧ローラー２９とを有し、トナー像が転写された用紙Ｐを定着ローラー２８及び加圧ローラー２９によって加圧加熱し、用紙Ｐ上のトナー像を溶融定着させる。トナー像が定着された用紙Ｐは、用紙搬送路１９において搬送ローラー対１５によって右上方に搬送され、さらに排出ローラー対２５によって排出部である胴内排紙部１８に排出される。
【００２２】
定着部７と排出ローラー対２５との間の用紙搬送路１９から分岐して反転搬送路２３が設けられる。反転搬送路２３は、用紙の一方の面にトナー像が定着された後、必要に応じて用紙の他方の面にもトナー像を形成するときに用いられるものであり、定着部７の上方から用紙搬送路１９と装置本体１０１の側面１０１ａとの間を下方に延設され、レジストローラー対１３の近傍の用紙搬送路１９に合流している。
【００２３】
両面印刷を行う場合には、一方の面にトナー像が定着された用紙Ｐは、胴内排紙部１８に排出させる途中において、用紙搬送路１９と反転搬送路２３との分岐部に設けた分岐ガイド２１を用紙の後端が通過したタイミングで排出ローラー対２５を逆回転させるとともに分岐ガイド２１を反転搬送路２３側に切り替える。これによって、用紙Ｐがスイッチバックされ、用紙Ｐの印刷面が表裏逆向きにされた状態で、反転搬送路２３に送られ、反転搬送路２３から再び用紙搬送路１９のレジストローラー対１３に搬送される。その後、画像形成部８にて用紙Ｐの他方の面にもトナー像が転写されると、用紙Ｐは定着部７によって定着処理され胴内排紙部１８に排出される。
【００２４】
図２は画像形成装置おける用紙搬送路の断面図であり、図３はカバー部材及び搬送ユニットを装置内側（図２の右側）から見た斜視図である。
【００２５】
カバー部材３３の内側には搬送ユニット３５が配置されている。搬送ユニット３５は反転搬送路２３と用紙搬送路１９の一部を構成する。反転搬送路２３は、装置の側面１０１ａと用紙搬送路１９と間で装置の側面１０１ａに沿って上下方向に延び、略Ｃ字状に湾曲して用紙搬送路１９に合流する構造となっている。搬送ユニット３５の内側面には、用紙の搬送方向上流側（図２、図３の下側）から順に、レジストローラー対１３を構成する片側のローラー１３ｂ、第１ローラーである転写ローラー９が付設されている。転写ローラー９は第２ローラーである感光体ドラム１を押圧している。
【００２６】
カバー部材３３は、装置の側面１０１ａを構成し、装置の側面１０１ａの下方に設けられた支点３３ａに回動可能に支持されている。カバー部材３３の回動動作によって装置の側面１０１ａを開閉可能とする。カバー部材３３の開方向の回動動作によって、搬送ユニット３５が装置本体１０１から離間して露出する。カバー部材３３の閉方向の回動動作によって、転写ローラー９が感光体ドラム１を押圧する。
【００２７】
図４は、カバー部材３３を閉じた状態における、転写ローラー９の要部の周辺を装置内側から見た斜視図である。尚、図４では、転写ローラー９の構成を説明するために感光体ドラム１を省いている。また、以下の説明では、転写ローラー９の軸方向の一端側の構成及び動作について説明するが、転写ローラー９の他端側の構成及び動作は、一端側と同様であり説明を省略する。
【００２８】
転写ローラー９は、感光体ドラム１（図２参照）に接触するローラー部９ａと、ローラー部９ａの軸方向の端部に設けられる回転軸５１と、回転軸５１を回転可能に支持する軸受け部材５３とを有する。尚、感光体ドラム１は、装置本体１０１に形成されるドラム軸受け孔１０１ｂにて回転可能に支持される。
【００２９】
軸受け部材５３は、その外周面から延びる腕部５３ｂと、腕部５３ｂに形成した凸部５３ｃと、その軸方向の端部の外周面に形成された外周部５３ａとを有する。凸部５３ｃは、カバー部材３３に設けられた軸受け支持部６１に移動可能に支持される。また、外周部５３ａは、装置本体１０１の軸受けガイド部７１に形成されたガイド溝７１ａに嵌装可能に構成される。軸受け部材５３の外周部５３ａがガイド溝７１ａに嵌装された状態にて、転写ローラー９のローラー部９ａは、感光体ドラム１に接触することができる。
【００３０】
軸受け部材５３及び軸受け支持部６１の詳しい構成を図５及び図６Ａを用いて説明する。図５は、転写ローラー９が感光体ドラム１に圧接した状態における、軸受け部材５３と軸受け支持部６１を示す断面図であり、図６Ａは軸受け部材５３を示す斜視図である。
【００３１】
図５に示すように、軸受け支持部６１は、開口部６１ａと、当接部６１ｂと、バネ受け部６１ｃとを有して樹脂にて形成される。
【００３２】
開口部６１ａは、略台形状に形成された貫通孔からなり、軸受け部材５３の凸部５３ｃが移動可能に挿入される。凸部５３ｃが開口部６１ａ内を移動することによって、軸受け部材５３は凸部５３ｃと同様の方向に移動することができる。また、凸部５３ｃを支点に軸受け部材５３は回動することも可能である。即ち、軸受け部材５３は、転写ローラー９の回転中心と感光体ドラム１の回転中心とを繋ぐ方向Ｘ（第１の方向）と、この第１の方向と転写ローラー９の回転軸５１の軸方向とに対して直角である方向Ｙ（第２の方向）とを含む平面上において、開口部６１ａにて形成される範囲内を移動するとともに、凸部５３ｃを支点に回動することができる。
【００３３】
バネ受け部６１ｃは、軸受け部材５３に形成したバネ受け部５３ｇとともにバネ部材４１を伸縮可能に保持する。バネ部材４１は圧縮コイルバネからなり、軸受け部材５３を感光体ドラム１側に付勢する。このバネ部材４１の付勢力によって、転写ローラー９のローラー部９ａは感光体ドラム１に圧接している。
【００３４】
当接部６１ｂは、転写ローラー９の回転軸５１に対して開口部６１ａの反対側に配置され、軸受け部材５３に形成された規制爪５３ｆに対向して設けられる。また、当接部６１ｂは、軸受け部材５３の規制爪５３ｆが当接可能であるように、第２の方向に平坦な面で形成される。転写ローラー９が感光体ドラム１に圧接しているとき（図５の状態）、規制爪５３ｆは当接部６１ｂから離間しているが、カバー部材３３が装置本体１０１に対して開かれたとき、バネ部材４１の付勢力によって、規制爪５３ｆは当接部６１ｂに当接する。
【００３５】
このように開口部６１ａ、当接部６１ｂ及びバネ受け部６１ｃは比較的に簡単な形状にて構成されるために、軸受け支持部６１は、カバー部材３３と樹脂材にて一体成型することができる。
【００３６】
一方、軸受け部材５３は、前述の規制爪５３ｆと、凸部５３ｃと、バネ受け部５３ｇの他に、転写ローラー９の回転軸５１を回転可能に支持する軸受け部５３ｄと、規制爪５３ｆを軸受け部材５３の外周面に繋げるフック部５３ｅと、外周部５３ａ（図６参照）とを有して樹脂にて形成される。
【００３７】
図６Ａに示すように、凸部５３ｃは、所定の空間を隔て互いに対向して一対設けられる。一対の凸部５３ｃが軸受け支持部６１の開口部６１ａ（図５参照）を両側から挟み込むことで、凸部５３ｃは開口部６１ａ内に移動可能に挿入される。
【００３８】
この構成によって、軸受け部材５３の凸部５３ｃを軸受け支持部６１の開口部６１ａに簡単に取り付けることができる。即ち、一対の腕部５３ｂが軸受け部材５３の外周から突出して形成されることで、樹脂材が有する弾性によって、腕部５３ｂは弾性変形可能である。腕部５３ｂの上端部に凸部５３ｃが設けられることで、腕部５３ｂが弾性変形すると、一対の凸部５３ｃは互いに離間する方向に移動可能である。従って、一対の凸部５３ｃの間隔が軸受け支持部６１の厚みよりも大きくなるように移動させ、一対の凸部５３ｃが軸受け支持部６１の開口部６１ａに対向すると、各腕部５３ｂの弾性変形を元の形状に戻す。これによって、凸部５３ｃは軸受け支持部６１の開口部６１ａ内に挿入される。
【００３９】
軸受け部材５３は、図６Ｂに示すように構成してもよい。図６Ｂは、図５Ａの軸受部材５３の変形例を示す斜視図である。
【００４０】
凸部５３ｃは一対の腕部５３ｂの一方の腕部５３ｂの上側端に設けられる。一対の腕部５３ｂが弾性変形すると、凸部５３ｃは他方の腕部５３ｂに対して離間する方向に移動可能である。従って、凸部５３ｃが他方の腕部５３ｂに対して離間する方向に移動し、凸部５３ｃと他方の腕部５３ｂとの間隔が軸受け支持部６１（図５参照）の厚みよりも大きくなると、凸部５３ｃは軸受け支持部６１の開口部６１ａ内に挿入される。凸部５３ｃを軸受け支持部６１の開口部６１ａ内に挿入すると、各腕部５３ｂの弾性変形を元の形状に戻す。これによって、凸部５３ｃは軸受け支持部６１の開口部６１ａ内に挿入され、腕部５３ｂが軸受け支持部６１を両側から挟み込む。図６Ａに示す軸受部材５３は軸受け支持部６１にしっかり取り付けられ、一方、図６Ｂに示す軸受部材５３は軸受け支持部６１に一層簡単に取り付けられる。
【００４１】
規制爪５３ｆは、軸受け部５３ｄに対して凸部５３ｃの反対側に配置され、断面略Ｕ字状に形成されるフック部５３ｅにて軸受け部材５３の外周面に繋がっている。フック部５３ｅは、樹脂材が有する弾性、及びＵ字状の形状による弾性によって、第２の方向Ｙ（図５参照）に弾性変形が可能である。尚、フック部５３ｅは、第２の方向Ｙに弾性変形が可能であれば断面略Ｕ字状の形状に限定されず、断面波型等の種々の形状を適用することが可能である。
【００４２】
この構成によって、規制爪５３ｆを軸受け支持部６１の当接部６１ｂ（図５参照）に対向するように、簡単に取り付けることができる。即ち、軸受け部材５３の凸部５３ｃを軸受け支持部６１の開口部６１ａに挿入した後、フック部５３ｅを軸受け部材５３の外周面側に向けて弾性変形させた状態で、規制爪５３ｆを軸受け支持部６１の当接部６１ｂに対して乗り越えさせ、フック部５３ｅの弾性変形を元の形状に戻す。これによって、フック部５３ｅが軸受け支持部６１の当接部６１ｂに対向する位置に簡単に取り付けることができる。
【００４３】
軸受け部５３ｄは、転写ローラー９の回転軸５１（図５参照）を回転可能に嵌装する孔にて構成される。外周部５３ａは、一対の腕部５３ｂから更に軸方向の端部側の外周面に形成され、装置本体１０１の軸受けガイド部７１に形成されたガイド溝７１ａ（図４参照）に案内され更に所定の位置に嵌装される。
【００４４】
図５に示すように、転写ローラー９が感光体ドラム１に圧接した状態（カバー部材３３の閉位置）から、カバー部材３３を図５の右方向に回動させると、カバー部材３３が開位置に移動する。軸受け部材５３は、カバー部材３３とともに回動し、図７に示す状態になる。
【００４５】
図７はカバー部材３３が開位置にあるとき、軸受け部材５３及び軸受け取り付け部６１の状態を模式的に示す図である。尚、図７は、図５に対して裏面側から見た図であるために、感光体ドラム１は軸受け部材５３に対して右側に配置され、また、カバー部材３３を閉じると、軸受け部材５３は矢印ＸＡの方向に回動する。また、図７では、軸受け支持部６１の要部（開口部６１ａ、当接部６１ｂ）のみを模式的に示している。さらに図７では、転写ローラー９が感光体ドラム１に圧接した状態（カバー部材３３の閉位置）における軸受け部材５３の外周部５３ａを一点鎖線で示している。
【００４６】
装置本体１０１の軸受けガイド部７１には、前述のようにガイド溝７１ａが形成されている。ガイド溝７１ａは、第１の方向Ｘに延設され、軸受け部材５３の外周部５３ａが嵌装可能であるように、軸受け部材５３の外周部５３ａより僅かに大きい幅で形成される。また、ガイド溝７１ａの上側入口部７１ｂは上側に広がり、ガイド溝７１ａの入口側の溝幅は、軸受け部材５３の嵌装領域の溝幅より大きくなっている。これによって、軸受け部材５３の外周部５３ａがガイド溝７１ａに導入され易くなる。
【００４７】
図７に示すようにカバー部材３３が開位置にあるとき、軸受け部材５３の規制爪５３ｆは、バネ部材４１の付勢力によって軸受け支持部６１の当接部６１ｂに当接している。また、軸受け部材５３の凸部５３ｃは、バネ部材４１の付勢力によって軸受け支持部６１の開口部６１ａの右側端面に当接している。
【００４８】
この状態から、カバー部材３３を装置本体１０１に対して閉じていくと、カバー部材３３は、装置本体１０１の下方に設けられた支点３３ａ（図３参照）を中心に回動する。これにともなって、軸受け部材５３の外周部５３ａは矢印ＸＡで示すように回動する。軸受け部材５３の外周部５３ａの回動方向ＸＡは、第１の方向Ｘとは異なり、軸受け部材５３の外周部５３ａがガイド溝７１ａの所定位置に嵌装した状態で、第１の方向Ｘと矢印ＸＡの接線方向とは所定角度だけ離れている。
【００４９】
図８〜図１０は、カバー部材を閉じていくとき、軸受け部材がガイド溝に案内される過程を順に示す図である。
【００５０】
図８に示すように、カバー部材３３を閉じていくと、軸受け部材５３の外周部５３ａの回動方向ＸＡと第１の方向Ｘとは異なるために（図７参照）、軸受け部材５３の外周部５３ａは、先ずガイド溝７１ａの上側入口部７１ｂに当接する。  カバー部材３３の回動動作にともなって軸受け部材５３がさらにＸＡ方向に回動すると、図９に示すように、軸受け部材５３の外周部５３ａは、上側入口部７１ｂの傾斜に沿って移動する。即ち、規制爪５３ｆが当接部６１ｂに当接した状態で、軸受け部材５３の外周部５３ａは第１の方向Ｘに感光体ドラム１側に移動するとともに、第２の方向Ｙの下側に移動する。軸受け部材５３の外周部５３ａの第１の方向Ｘ及び第２の方向Ｙへの移動は、軸受け部材５３の凸部５３ｃが軸受け保持部６１の開口部６１ａ内で第１の方向Ｘ及び第２の方向Ｙへの移動が可能になっていることによる。尚、軸受け部材５３のフック部５３ｅは第２の方向Ｙで弾性変形が可能であるが、この弾性変形を比較的に大きく構成してあると、フック部５３ｅの弾性変形によって、軸受け部材５３の外周部５３ａは第２の方向Ｙに幾分かは移動することになる。
【００５１】
さらにカバー部材３３を閉じていくと、図１０に示すように、軸受け部材５３の凸部５３ｃが軸受け保持部６１の開口部６１ａ内で第１の方向Ｘ及び第２の方向Ｙへの移動が可能になっていることにより、軸受け部材５３の外周部５３ａは第１の方向Ｘに延設したガイド溝７１ａに沿って移動し、ガイド溝７１ａの所定の位置に嵌装される。これによって、図５に示す転写ローラー９が感光体ドラム１に圧接することになる。
【００５２】
尚、上記実施形態では、ガイド溝７１ａに上側入口部７１ｂを形成する構成を示したが、軸受け部材５３の外周部５３ａがガイド溝７１ａに嵌装した状態で、第１の方向Ｘの接線方向と矢印Ｘ方向の角度が比較的に小さい場合には、ガイド溝７１ａに上側入口部７１ｂを形成しなくとも、軸受け部材５３の外周部５３ａがガイド溝７１ａに導入される。
【００５３】
また、上記実施形態では、転写ローラー９と感光体ドラム１との組み合わせにて構成したが、本発明はこれに限らず、レジストローラー対１３等他のローラー対に適用することができる。
【産業上の利用可能性】
【００５４】
本発明は、複写機、プリンター、ファクシミリ、それらの複合機等の画像形成装置に利用することができる。
【符号の説明】
【００５５】
１          感光体ドラム（第２回転体）
９          転写ローラー（第１回転体）
９ａ        ローラー部
３３        カバー部材
３３ａ      支点
４１        バネ部材
５１        回転軸
５３        軸受け部材
５３ａ      外周部
５３ｂ      腕部
５３ｃ      凸部
５３ｄ      軸受け部
５３ｅ      フック部
５３ｆ      規制爪
５３ｇ      バネ受け部
６１        軸受け支持部
６１ａ      開口部
６１ｂ      当接部
６１ｃ      バネ受け部
７１        軸受けガイド部
７１ａ      ガイド溝
７１ｂ      上側入口部
１００      画像形成装置
１０１      装置本体
１０１ａ    側面
１０１ｂ    ドラム軸受け孔
【図１】
0005746084.tif 000002
【図２】
0005746084.tif 000003
【図３】
0005746084.tif 000004
【図４】
0005746084.tif 000005
【図５】
0005746084.tif 000006
【図６Ａ】
0005746084.tif 000007
【図６Ｂ】
0005746084.tif 000008
【図９】
0005746084.tif 000009
【図１０】
0005746084.tif 000010
【図７】
0005746084.tif 000011
【図８】
0005746084.tif 000012